(57)【要約】      （修正有）【課題】腕時計における既存の風防や画面（タッチパネルにおける画面を含む）に取り付けることで、これらの傷や打痕による損傷を無くして保護することのできる腕時計用カバーシートを提供する。【解決手段】透明材料からなり、少なくとも腕時計における風防又は画面ＷＧの全部または一部を被覆する大きさに形成されたカバー本体１０と、カバー本体１０における腕時計における風防又は画面ＷＧと対向する面に設けられたシリコン樹脂層２０とからなる腕時計用カバーシート３０であって、表面側には任意に装飾部を形成することができる。【選択図】図２
2019144026.tif 000002
【特許請求の範囲】
【請求項１】
透明材料からなり、少なくとも腕時計における風防又は画面の全部または一部を被覆する大きさに形成されたカバー本体と、
当該カバー本体における腕時計における風防又は画面と対向する面に設けられたシリコン樹脂層とからなることを特徴とする、腕時計用カバーシート。
【請求項２】
前記カバー本体はガラスを用いて形成されており、当該カバー本体における前記風防又は画面と対向する面の反対側の面には凹凸からなる装飾部が設けられている、請求項１に記載の腕時計用カバーシート。
【請求項３】
前記カバー本体において、前記装飾部が形成されている領域は、可視光透過率が７０％以上である、請求項２に記載の腕時計用カバーシート。
【請求項４】
前記カバー本体は、厚さ０．１ｍｍ以上、０．７ｍｍ以下であり、
全体の厚さは１．４ｍｍ以下である、請求項１〜３の何れか一項に記載の腕時計用カバーシート。
【請求項５】
タッチパネルを備えた腕時計におけるタッチパネルを保護する腕時計用カバーシートであって、
前記カバー本体は、少なくともタッチパネルの操作を可能とする厚さに形成されている請求項１〜４の何れか一項に記載の腕時計用カバーシート。
【発明の詳細な説明】
【技術分野】
【０００１】
本発明は腕時計における風防又は画面を保護するための腕時計用カバーシートに関する。特に引っ掻き傷や打痕に対して耐性を有する腕時計の風防又は画面用のカバーシートに関する。
【背景技術】
【０００２】
従来、腕時計の文字盤は透明樹脂又はガラスから成る風防に覆われている。そしてこの風防については、従前においても傷などが付きにくいようにするために、風防自体の構成に工夫が施されている。
【０００３】
例えば特許文献１（特開２０１７−１８１４８２号公報）では、傷や打痕等の凹みが付き難く、比較的大きな外力が加わり凹みを生じた場合でも、当該凹みが目立ちにくい装飾品を備えた時計が提案されている。かかる装飾品は、少なくとも表面の一部が主としてＴｉまたはステンレス鋼で構成された基材と、前記基材上に設けられ、主としてＴｉＣで構成された被膜とを有する装飾品であって、前記被膜は、少なくとも、第１の領域と、該第１の領域よりも前記基材に近い側に設けられた第２の領域とを有するものであり、前記第２の領域の弾性率が、前記第１の領域の弾性率よりも大きい装飾品として具体化している。
【０００４】
また、従前においては腕時計の傷や損傷を無くするために、腕時計本体を覆う腕時計用カバーが提案されている。即ち、特許文献２（特開２００２−２７３０９０号公報）では、腕時計を洗濯機を用いて洗浄する際、洗濯槽やパルセーターとの接触に伴う衝撃によって腕時計の傷や破損、防水不良が発生したり、洗濯槽や衣類を傷つけるという問題を解決するべく、合成ゴム材料からなる腕時計用カバーが提案されている。
【先行技術文献】
【特許文献】
【０００５】
【特許文献１】特開２０１７−１８１４８２号公報
【特許文献２】特開２００２−２７３０９０号公報
【発明の概要】
【発明が解決しようとする課題】
【０００６】
前述の通り、腕時計の風防や腕時計の画面自体を改良する技術は幾つか提案されている。しかしながら、既存の風防や画面に取り付けて、これ等の傷や打痕による損傷を無くすものは未だに提案されていない。
【０００７】
そこで本発明は、腕時における既存の風防や画面（タッチパネルにおける画面を含む）に取り付けることで、これらの傷や打痕による損傷を無くして保護することのできる腕時計用カバーシートを提供しようとするものである。
【課題を解決するための手段】
【０００８】
上記課題を解決するべく、本発明では透明材料からなり、少なくとも腕時計における風防又は画面の全部または一部を被覆する大きさに形成されたカバー本体と、当該カバー本体における腕時計における風防又は画面と対向する面に設けられたシリコン樹脂層とからなる腕時計用カバーシートを提供する。
【０００９】
また本発明の腕時計用カバーシートは、その実施形態において、前記カバー本体をガラスを用いて形成し、当該カバー本体における前記風防又は画面と対向する面の反対側の面には凹凸からなる装飾部を設けることができる。
【００１０】
また本発明の腕時計用カバーシートは、その実施形態において前記装飾部を設ける場合には、当該装飾部が形成されている領域は、可視光透過率を７０％以上に形成することができる。
【００１１】
また本発明の腕時計用カバーシートの実施形態において、カバー本体は、厚さ０．１ｍｍ以上、０．７ｍｍ以下であり、全体の厚さは１．４ｍｍ以下に形成することができる。かかる腕時計用カバーシートはカバー本体とシリコン樹脂層のみで構成することも望ましい。
【００１２】
また本発明の腕時計用カバーシートは、その実施形態において、タッチパネルを備えた腕時計におけるタッチパネルを保護する腕時計用カバーシートとして形成することができる。その際、前記カバー本体は少なくともタッチパネルの操作を可能とする厚さに形成することができる。
【発明の効果】
【００１３】
前記本発明の腕時計用カバーシートは、透明材料からなり、少なくとも腕時計における風防又は画面の全部または一部を被覆する大きさに形成されたカバー本体と、当該カバー本体における腕時計における風防又は画面と対向する面に設けられたシリコン樹脂層とからなる腕時計用カバーシートで構成されている。即ち、当該腕時計用カバーシートは、シリコン層によってカバー本体が腕時計における風防又は画面の全部または一部に密着することから、当該カバー本体によって当該風防又は画面の傷や打痕による損傷を無くして保護することができる。
【００１４】
特に、当該当該カバー本体における前記風防又は画面と対向する面の反対側の面に、凹凸からなる装飾部を設けた場合には、当該凹凸により装飾効果を高めることができる。また当該凹凸が微細な凹凸としてアンチグレア加工が施されている場合には、当該風防又は画面における反射を阻止することができる。更に、当該装飾部を企業名や企業ロゴなどの意匠を施して形成することにより販売促進商品として使用することもできる。
【００１５】
そして本発明に係る腕時計用カバーシートは、タッチパネルの操作を可能とする厚さに形成することにより、スマートウォッチ等のように、タッチパネルを備えた腕時計用のカバーシートとして使用することもできる。
【図面の簡単な説明】
【００１６】
【図１】本実施の形態に係る腕時計用カバーシートの装着状態を示す斜視図
【図２】腕時計用カバーシートの縦断面図
【図３】腕時計用カバーシートの表面側に装飾部を形成した状態を示す正面図
【発明を実施するための形態】
【００１７】
以下、図面を参照しながら、本実施の形態にかかる腕時計用カバーシート30を具体的に説明する。図１は本実施の形態に係る腕時計用カバーシート30の装着状態を示す斜視図であり、図２は当該腕時計用カバーシート30の縦断面図であり、図３は当該腕時計用カバーシート30の表面側に装飾部11を形成した状態を示す正面図である。
【００１８】
本実施の形態に係る腕時計用カバーシート30は、図１に示す様に、腕時計Wの画面WG（又は風防）に装着して使用される。かかる腕時計用カバーシート30は、腕時計Wの画面WG（又は風防）の全部を覆う大きさに形成する他、その全体の一部、例えば中心部分や周辺部分だけ等を覆うような大きさに形成することもできる。或いは画面WGにおける任意の領域を覆うことが無いように、開口部を備えた形状に形成することもできる。
【００１９】
特に図１の実施形態にかかる腕時計用カバーシート30は、腕時計W（特にスマートウォッチ）用として形成した例を示しているが、その他にも腕等に装着可能なデバイスであって、液晶パネルやタッチパネルを備えるものにも好適に使用することができ、更に風防を備えた腕時計Wにも使用することも可能である。即ち本実施の形態に係る腕時計用カバーシート30は、風防や画面WGを備えたデバイスやその他の機器において好適に使用することができる。かかるデバイスや機器においては、本実施の形態にかかる腕時計用カバーシート30を風防や画面WGに設けることにより、当該風防や画面WGが傷や打痕による損傷しないようにすることができる。そして装着している腕時計用カバーシート30に傷がついた場合などにおいては、これを取り外して新たな腕時計用カバーシート30を設けることにより、再び画面WGや文字盤の視認性を向上させることができる。よって、本実施の形態に係る腕時計用カバーシート30は、前記画面WGの表面や風防に対して着脱自在に形成される必要があり、望ましくは後述するシリコン層20を当該画面WGの表面や風防に対して着脱自在に形成する。
【００２０】
かかる腕時計用カバーシート30は、図２に示すような積層構造に形成することができる。即ち、腕時計用カバーシート30の表面を構成するカバー本体10と、このカバー本体10の裏側面、即ち前記液晶や風防に対向する面に設けたシリコン層20とで形成することができる。
【００２１】
上記カバー本体10は、少なくとも傷や打痕による損傷から液晶や風防を保護するためのものを使用することができる。よって当該カバー本体10は、一定の傷耐性を有するものとして形成することが望ましく、例えば硬度計でスクリーン部分をひっかいた場合の硬度が６Ｈ以上、望ましくは８Ｈ以上であることが望ましい。
【００２２】
かかるカバー本体10は当然のことながら液晶や文字盤を透過させるように透明に形成することが必要であり、これは無色透明である他、有彩色透明であっても良い。また、当該カバー本体10は、ポリカーボネートやシリコンなどの樹脂を用いて形成することもできるが、望ましくはガラスなどの無機材料で形成する。静電容量方式のタッチパネル表面にされているカバー材の多くがガラスであることを考慮し、その接触時の間隔を同じにするためである。
【００２３】
特にカバー本体10をガラスで構成する場合には、当該ガラスはガラスを再加熱して結晶を析出させて作った結晶性ガラスであることが望ましい。ガラス中に結晶を析出させることによりガラス単独では得られない特性を持つことができ、その特性として、透明性、耐衝撃性、耐傷性（硬度）を備えることができる為である。特に本実施の形態に係る腕時計用カバーシート30は、耐傷性（硬度）を高めることが望ましい。当該カバーシートを取り付ける腕時計Wに関していえば、落下などの状況は稀有であり、当該腕時計Wを着用している時に、画面WGや風防を壁や構造物などに擦ってしまう場合が多いためである。
【００２４】
そして本実施の形態に係る腕時計用カバーシート30は、特にタッチパネルを備えている腕時計W、所謂スマートウォッチに装着して使用することが望ましい。かかる腕時計Wにおけるタッチパネル方式は特に制限されるものではなく、静電容量方式（表面型静電容量方式及び投影型静電容量方式）の他、抵抗膜方式、超音波表面弾性波（SAW）方式、光学方式（赤外線光学イメージング方式）、電磁誘導方式であっても良い。ただし、当該腕時計用カバーシート30のカバー本体10としてガラスを使用する場合には、静電容量方式か超音波表面弾性波（SAW）方式であることが望ましい。カバー本体10の歪みなどを無くすためである。
【００２５】
特に投影型の静電容量方式のタッチパネルは、透明な絶縁フィルムの裏側に、Ｙ方向の座標検出を行うための複数の電極を有する酸化インジウム・スズ膜（以下、ＩＴＯ膜と称する）を形成し、表側にＸ方向の座標検出を行うための複数の電極を有するＩＴＯ膜を形成している。各ＩＴＯ膜には、相互に電気的に接続された複数の菱形の電極パッド（センサ電極）が設けられており、 このタッチパネルの上面にガラスやポリエチレンテレフタラート（ＰＥＴ）にて作製されたカバー材を配置している。そして当該カバー材を介して、指先等を接触させることにより、接触位置の電極パッドの静電容量が所定値以上に変化することから、その座標位置を検出することができるように構成されている。この為、当該静電容量方式のタッチパネルは、指等による接触箇所に所定以上の静電容量（約１ｐＦ）の変化を発生させなければ、その位置を検出することができない。
【００２６】
そこで本実施の形態に係る腕時計用カバーシート30では、指先などの接触時における静電容量を一定以上に確保するために、当該腕時計用カバーシート30の全体の厚さを１．４ｍｍ以下、望ましくは１．０ｍｍ以下、特に望ましくは０．８ｍｍ以下とする。タッチパネルの感度を低下させないためである。更に、当該腕時計用カバーシート30の耐傷性はカバー本体10の硬度等に由来することから、当該カバー本体10の厚さは、０．１ｍｍ以上、０．７ｍｍ以下、望ましくは０．２ｍｍ以上、０．５ｍｍ以下、特に望ましくは０．２ｍｍ以上、０．４ｍｍ以下とする。当該当該カバー本体10の厚さが０．１ｍｍ未満であると、風防や画面WGの保護の機能を担保するのが困難であり、一方で０．７ｍｍを超えるとタッチパネルの感度の低下が懸念されるためである。そして当該カバー本体10の厚さを確保した上で、前記腕時計用カバーシート30の全体の厚さを満たすためには、当該腕時計用カバーシート30は、カバー本体10とシリコン樹脂層のみで形成するのが望ましい。
【００２７】
そして本実施の形態に係る腕時計用カバーシート30では、前記カバー本体10を風防や画面WG（本明細書では、前記タッチパネルのカバー材を含む）に取り付ける為に、前記カバー本体10における少なくとも何れかの１面に、シリコンから成るシリコン層20を形成している。かかるシリコン層20は当該カバー本体10を平滑な風防や画面WGに保持する程度の粘性又は接着性を備えて形成されており、これにより当該カバー本体10を腕時計Wに取り付けることができる。また当該シリコン層20は、前記ガラス製のカバー本体10が衝撃などによって亀裂が発生した場合であっても、その飛散を阻止するための保持材として機能することができる。よって当該シリコン層20を設けた腕時計用カバーシート30は、防爆ガラスとして形成することができる。更に当該シリコン層20は、前記カバー本体10が衝撃を受けた時のショックを吸収するクッション乃至は緩衝材として機能することができる。この場合、当該シリコン層20を設けることにより、前記カバー本体10の耐衝撃性が向上し、腕時計用カバーシート30全体の耐衝撃性を向上させることができる。特に前記カバー本体10がガラスやポリカーボネートからなり、前記風防や画面WGとの間に空隙を設けて配置する場合には、当該シリコン層20を設けることにより耐衝撃性を向上させることができる。かかるシリコン層は、そのクッション性により前記耐衝撃性を向上させるためには、前記カバー本体と同等の厚さ、特に当該カバー本体の厚さの７０％〜１５０％程度の厚さに形成するのが望ましい。
【００２８】
かかるシリコン層20は、例えば両面粘着フィルム（例えば、ABテープ等）を用いて形成することができる。かかる両面粘着フィルムにおける片面は、貼り合せ後に固定でき、その反対面はリワーク、エア抜け性が要求される貼り合せに対応できるように形成することが望ましい。その一例を示せば前記カバー本体10側には初期粘着力（JIS-Z-0237による。以下同じ）が12N／25ｍｍ以上のアクリル樹脂が存在し、その反対側の面（即ち、風防や画面WGに向かう面）には、初期粘着力が0.04N／25ｍｍ以上のシリコン樹脂からなる両面粘着フィルムを使用することができる。かかる両面粘着フィルムを用いてシリコン層20を形成することにより、別途、シリコン層20をカバー本体10に貼り付ける為の接着剤層を設ける必要が無くなり、その結果、腕時計用カバーシート30全体を薄くすることができる。よって、シリコン層20はABテープ等の両面粘着フィルムで構成し、別途接着剤層（糊層）を設けないことが望ましい。
【００２９】
以上のように構成した本実施の形態に係る腕時計用カバーシート30は、任意に腕時計Wの風防や画面WGに取り付けることができ、当該風防や画面WGを保護することができる。そして仮に当該腕時計用カバーシート30に傷などが付いた場合には、これを取り外して新たな腕時計用カバーシート30を取り付けることができる。
【００３０】
なお、当該腕時計用カバーシート30を取り付ける腕時計Wは、そのデザインも様々であり、また風防や画面WGの大きさや形状等も様々である。そこで当該腕時計用カバーシート30は、その平面形状を、四角形や円形など、様々な形状のものを用意しておき、使用者が自己の腕時計Wに合わせて任意に選択できるように形成するのが望ましい。また当該腕時計用カバーシート30は、その全体を平面形状に形成する他、曲面形状に形成することもできる。即ち当該腕時計用カバーシート30を取り付ける腕時計Wの風防や画面WGが曲面の３次元構造である場合には、その形状に沿うように３次元の曲面構造に形成することができる。
【００３１】
図３は上記のように構成した腕時計用カバーシート30に関して、さらに工夫を施した実施形態を示している。特にこの実施の形態に示す腕時計用カバーシート30では、前記カバー本体10の表面に凹凸から成る装飾部11を形成しており、これにより当該腕時計Wの装飾性を高めることができる。かかる装飾部11は、会社名やロゴ等任意のデザインで形成することができ、例えば会社名や会社ロゴ、或いは商品やサービス名を表示するように形成すれば、企業における販売促進の目的で使用することができる。その一例を示せば、図３（Ａ）に示す様に会社名「Ａｃｒｏ  ｃｕｂｅ」と会社のロゴの形態で装飾部11を形成したり、或いは図３（Ｂ）に示す様に商品名「ＹＡＴＡＧＬＡＳＳ」と商品ロゴの形態で装飾部11を形成することができる。
【００３２】
また当該装飾部11は、前記風防やタッチパネルのカバー材の機能を高めることを目的として形成することもできる。例えば、当該風防やタッチパネルのカバー材の反射率を変化させて、文字盤やディスプレイの視認性を高めるようにノングレア加工を施すこともできる。特にタッチパネルのカバー材に設ける場合には、表面における摩擦抵抗を変化させるためにグレア加工又はノングレア加工を施すこともでき、更に接触時の感覚を高める為の凹凸として形成することもできる。
【００３３】
そしてこの装飾部11は、前記カバー本体10の表面全体に形成する他、任意の領域に形成することもできる。例えば、前記腕時計Wがタッチパネルを搭載している場合において、その画面WGの正面全体に腕時計用カバーシート30を設ける際には、操作領域のみをグレア加工又はノングレア加工を施して、操作領域の識別性を高めることができる。また当該操作領域の内、デフォルト時において表示領域を構成する領域を除いた範囲について当該装飾部11を形成することができる。これにより通常時における画面WGの視認性を高めることができる。
【００３４】
また当該装飾部11は溝から成る凹凸として形成することもでき、当該溝の延長方向を何れか一方にすれば、見る方向によって意匠を異ならせることのできる腕時計用カバーシート30とすることもできる。その一例を示せば、図３（Ｄ）に示す様に横方向に延伸する複数の溝として装飾部11を形成した場合には、左右方向の視野角は制限することなく、上下方向の視野角を制限することができる。特に携帯型情報端末として機能する腕時計W（スマートウォッチ）の場合には、様々な個人情報を表示することもあるため、その視野角を制限することは有用である。
【００３５】
かかる装飾部11は、前記カバー本体10において、表側の面、即ちシリコン層20が設けられる側の反対側の面に形成するのが望ましい。凹凸から成る装飾部11であることから、本来であれば油脂やごみなどの付着を阻止するために、シリコン層20側に設けることも望ましいが、当該シリコン層20側の面に装飾部11を形成してしまうと、風防や画面WGとの接着性が低下することが危惧される。よって、本実施の形態では、装飾部11の装飾性を確保し、更に風防や画面WGとの密着性を高める為に、当該装飾部11はカバー本体10の表側の面に形成するのが望ましい。なお、当該装飾部11に対する油脂やごみなどの付着を阻止し、また当該装飾部11の損傷を回避するためには、当該装飾部11の上に樹脂等から成るカバー層を設けることも望ましい。
【００３６】
そして前記装飾部11は、腕時計Wにおける文字盤や画面WGの視認性を確保できるように形成することが望ましい。この為、当該装飾部11を構成する凹凸の大きさや形成間隔は、任意に調整することが望ましい。例えば当該装飾部11が形成されている領域は、可視光透過率が７０％以上である場合には、当該装飾部11を通して、文字盤やディスプレイの表示を視認することができる。
【００３７】
本発明に係る腕時計用カバーシート30は、上記実施の形態に示したものに限定されるものではなく、本発明の技術的特徴を保持した上で種々の変更や新たな技術の追加を行うことができる。
【産業上の利用可能性】
【００３８】
本発明の腕時計用カバーシートは、腕時計における風防や画面を保護するために利用することができ、特に装飾部を設けることにより、宣伝広告のための製品として利用することができる。
【符号の説明】
【００３９】
10    カバー本体
11    装飾部
20    シリコン層
30    腕時計用カバーシート
【図１】
2019144026.tif 000003
【図２】
2019144026.tif 000004
【図３】
2019144026.tif 000005